(57)【要約】【課題】ＷＤＭ−ＰＯＮの必要となる波長帯域を低減する波長多重伝送技術を提供する。【解決手段】本発明の一実施形態による波長多重装置１００は、下り光信号として、波長の異なる複数のＤＰＳＫ信号を多重する波長多重回路２１２と、多重されたＤＰＳＫ信号から光デュオバイナリ信号を生成する光遅延回路２２０とを備える。この波長多重装置１００は、上り信号として、波長の異なる複数のＤＰＳＫ信号を、光遅延回路２２０を介して光デュオバイナリ信号として受信する光受信器をさらに備える。このように、上りと下りの光信号は、光遅延回路２２０により合分波されるため、光フィルタを用いた場合のデッドバンドが生じない。また、光信号にＤＰＳＫ信号や光デュオバイナリ信号を利用しているため、通常の光強度信号であるＮＲＺに比べ、変調帯域が約半分程度となる。【選択図】図４
2008244847.tif 000002
【特許請求の範囲】
【請求項１】
波長の異なる複数のＤＰＳＫ信号を多重する波長多重回路と、
前記多重されたＤＰＳＫ信号から光デュオバイナリ信号を生成する光遅延回路と
を備えたことを特徴とする波長多重装置。
【請求項２】
請求項１に記載の波長多重装置であって、
各ＤＰＳＫ信号は、ビットレートＲのＤＰＳＫ信号およびビットレートｎＲ（ｎは整数）のＤＰＳＫ信号のいずれかであり、
前記光遅延回路は、１／Ｒの遅延量を与えることによって、前記多重されたＤＰＳＫ信号から光デュオバイナリ信号を生成することを特徴とする波長多重装置。
【請求項３】
請求項１に記載の波長多重装置であって、
各ＤＰＳＫ信号は、複数の異なるビットレートのＤＰＳＫ信号のいずれかであり、前記波長多重装置は、前記異なるビットレートごとに波長多重回路と、光遅延回路とを備え、
前記波長多重装置は、前記光遅延回路からの光デュオバイナリ信号を合波する光カップラをさらに備えたことを特徴とする波長多重装置。
【請求項４】
請求項１に記載の波長多重装置であって、
各ＤＰＳＫ信号は、複数の異なるビットレートのＤＰＳＫ信号のいずれかであり、前記波長多重装置は、前記異なるビットレートごとに波長多重回路と、光遅延回路とを備え、
前記波長多重装置は、前記光遅延回路からの光デュオバイナリ信号を合波する波長多重回路をさらに備えたことを特徴とする波長多重装置。
【請求項５】
請求項１に記載の波長多重装置であって、
各ＤＰＳＫ信号は、２つの異なるビットレートのＤＰＳＫ信号のいずれかであり、前記波長多重装置は、前記異なるビットレートごとに波長多重回路と、光遅延回路とを備え、
前記波長多重装置は、前記光遅延回路からの光デュオバイナリ信号を合波するインターリーバをさらに備えたことを特徴とする波長多重装置。
【請求項６】
請求項５に記載の波長多重装置であって、
前記ＤＰＳＫ信号のうち奇数番目の波長は、前記２つの異なるビットレートのＤＰＳＫ信号の一方を含み、偶数番目の波長は、前記２つの異なるビットレートのＤＰＳＫ信号の他方を含むことを特徴とする波長多重装置。
【請求項７】
請求項１から６のいずれかに記載の波長多重装置であって、
波長の異なる複数のＤＰＳＫ信号を、前記光遅延回路を介して光デュオバイナリ信号として受信する光受信器をさらに備えたことを特徴とする波長多重装置。
【請求項８】
請求項７に記載の波長多重伝送ネットワークであって、
波長ごとに、前記波長多重装置からの光デュオバイナリ信号を受信する光受信器をさらに備えたことを特徴とする波長多重伝送ネットワーク。
【請求項９】
請求項８に記載の波長多重伝送ネットワークであって、
前記波長多重装置からの光デュオバイナリ信号を分岐するパワースプリッタを備えたことを特徴とする波長多重伝送ネットワーク。
【請求項１０】
請求項８に記載の波長多重伝送ネットワークであって、
前記波長多重装置からの光デュオバイナリ信号を分波する波長スプリッタを備えたことを特徴とする波長多重伝送ネットワーク。
【請求項１１】
波長多重装置における方法であって、
波長の異なる複数のＤＰＳＫ信号を多重することと、
前記多重されたＤＰＳＫ信号から光デュオバイナリ信号を生成し、送信することと
を備える方法。
【請求項１２】
請求項１１に記載の方法であって、
各ＤＰＳＫ信号は、ビットレートＲのＤＰＳＫ信号およびビットレートｎＲ（ｎは整数）のＤＰＳＫ信号のいずれかであり、
前記光デュオバイナリ信号を生成することは、各ＤＰＳＫ信号に１／Ｒの遅延量を与えて合波することを含むことを特徴とする方法。
【請求項１３】
請求項１１に記載の方法であって、
各ＤＰＳＫ信号は、複数の異なるビットレートのＤＰＳＫ信号のいずれかであり、
前記光デュオバイナリ信号を生成することは、各ＤＰＳＫ信号に各ビットレートに対応する遅延量を与えて合波することをさらに備えることを特徴とする方法。
【請求項１４】
請求項１１から１３のいずれかに記載の方法であって、
波長の異なる複数のＤＰＳＫ信号を、光デュオバイナリ信号に変換して受信することをさらに備えることを特徴とする方法。
【発明の詳細な説明】
【技術分野】
【０００１】
本発明は、波長多重光通信システムの光送受信装置に関する。
【背景技術】
【０００２】
図１に、従来のＷＤＭ−ＰＯＮ（Ｗａｖｅｌｅｎｇｔｈ  Ｄｉｖｉｓｉｏｎ  Ｍｕｌｔｉｐｌｅｘｉｎｇ−Ｐａｓｓｉｖｅ  Ｏｐｔｉｃａｌ  Ｎｅｔｗｏｒｋ）の構成例を示す。図１（ａ）は、伝送路の分岐部に波長スプリッタを用いた構成例であり、図１（ｂ）は、伝送路の分岐部にパワースプリッタを用いた構成例である。
【０００３】
図１に示すように、ＯＬＴ（Ｏｐｔｉｃａｌ  Ｌｉｎｅ  Ｔｅｒｍｉｎａｌ）１０に配置された送信器からの複数の波長の異なる光信号は、波長多重回路で多重され、下り信号として伝送路に送出される。この下り信号は、伝送路の波長スプリッタ１２またはパワースプリッタ１６を介して、ＯＮＵ（Ｏｐｔｉｃａｌ  Ｎｅｔｗｏｒｋ  Ｕｎｉｔ）１４−１〜ｎで受信される。図１（ａ）の場合、下り信号は、波長スプリッタ１２で波長ごとに分波され、各ＯＮＵは、所定の波長の下り信号を受信する。図１（ｂ）の場合、下り信号は、パワースプリッタ１６でパワー分岐され、各ＯＮＵは、下り信号の所定の波長を選択して受信する。
【０００４】
一方、各ＯＮＵ１４−１〜ｎに配置された送信器からの複数の波長の異なる光信号は、上り信号として伝送路に送出される。この上り信号は、伝送路の波長スプリッタ１２またはパワースプリッタ１６を介して、ＯＬＴ１０で受信される。ＯＬＴでは、上り信号が波長分離回路で波長ごとに分離され、各受信器で受信される。
【０００５】
従来、このようなＷＤＭ−ＰＯＮでは、光信号は、ＤＦＢ−ＬＤ（Ｄｉｓｔｒｉｂｕｔｅｄ  Ｆｅｅｄｂａｃｋ−Ｌａｓｅｒ  Ｄｉｏｄｅ）の直接変調により発生させていた。
【０００６】
【非特許文献１】H. Suzuki, et al., “A Remote Wavelength Setting Procedure based on Wavelength Sense Random Access (λ-RA) for Power-splitter-based WDM-PON,” ECOC2009, We3, P.157, Sept. 2006
【非特許文献２】Sang-Mook Lee, et al., “Dense WDM-PON Based on Wavelength-Locked Fabry-Perot Laser Diodes,” IEEE Photonics Technology Letters, Vol. 17, No. 7, July 2005
【発明の開示】
【発明が解決しようとする課題】
【０００７】
しかしながら、ＤＦＢ−ＬＤの直接変調の場合、チャーピングにより光信号の変調帯域Ｂ以上に光スペクトルが拡がることになる。ここで、波長数Ｎで波長多重した場合、光周波数利用効率をη（≦１）として、必要となる光領域の帯域は、Ｎ・Ｂ／ηとなる。すなわち、光スペクトルの拡がりによる光周波数利用効率の低下の影響は、波長多重によりＮ倍に拡大される。
【０００８】
この問題を回避するために、ＤＦＢ−ＬＤから得られたＣＷ（Ｃｏｎｔｉｎｕｏｕｓ  Ｗａｖｅ）光を外部変調器で変調すれば、光スペクトルの拡がりを小さくできるが、この方法でも上り信号と下り信号を分離または多重するために用いられる光フィルタのデッドバンドＷを回避することは困難である。この場合に必要となる光領域の帯域は、図２に示すように、（Ｗ＋Ｎ・Ｂ／η）となる。
【０００９】
ところで、図１（ｂ）のパワースプリッタ型のＷＤＭ−ＰＯＮは、既存のＴＤＭＡ型のＰＯＮ（例えば、Ｇ−ＥＰＯＮやＧ−ＰＯＮ）と波長多重することで、伝送路を共有することができる（非特許文献１）。その場合、既存のＰＯＮの未使用波長帯であるＦｕｔｕｒｅ  Ｂａｎｄ（１５６５〜１６２５ｎｍ）をＷＤＭ−ＰＯＮの上りおよび下りの信号に割当てる必要がある。したがって、所定の波長数Ｎに対して、必要となる光領域の帯域（Ｗ＋Ｎ・Ｂ／η）を低減することができる技術が望まれる。
【００１０】
図３に示すように、パワースプリッタ型のＷＤＭ−ＰＯＮのＯＬＴにおいて（非特許文献２）、ＷＤＭ用の波長多重分離回路にＡＷＧ（Ａｒｒａｙｅｄ  Ｗａｖｅｇｕｉｄｅ  Ｇｒａｔｉｎｇ）２２を適用し、そのＦＳＲ（Ｆｒｅｅ  Ｓｐｅｃｔｒａｌ  Ｒａｎｇｅ）を利用することで、上り信号と下り信号を分離多重するための光フィルタのデッドバンドＷを回避することができる。しかし、その場合、ＯＬＴ１０に配置されるＯＳＵ（Ｏｐｔｉｃａｌ  Ｓｕｂｓｃｒｉｂｅｒ  Ｕｎｉｔ）２０−１〜ｎの受信器すべてに波長選択用の光フィルタ２４−１〜ｎが必要となり、経済的でないという問題がある。
【００１１】
本発明は、このような問題に鑑みてなされたもので、その目的とするところは、ＷＤＭ−ＰＯＮの必要となる波長帯域を低減する波長多重伝送技術を提供することにある。
【課題を解決するための手段】
【００１２】
本発明は、このような目的を達成するために、請求項１に記載の発明は、波長多重装置であって、波長の異なる複数のＤＰＳＫ信号を多重する波長多重回路と、前記多重されたＤＰＳＫ信号から光デュオバイナリ信号を生成する光遅延回路とを備えたことを特徴とする。
【００１３】
また、請求項２に記載の発明は、請求項１に記載の波長多重装置であって、各ＤＰＳＫ信号は、ビットレートＲのＤＰＳＫ信号およびビットレートｎＲ（ｎは整数）のＤＰＳＫ信号のいずれかであり、前記光遅延回路は、１／Ｒの遅延量を与えることによって、前記多重されたＤＰＳＫ信号から光デュオバイナリ信号を生成することを特徴とする。
【００１４】
また、請求項３に記載の発明は、請求項１に記載の波長多重装置であって、各ＤＰＳＫ信号は、複数の異なるビットレートのＤＰＳＫ信号のいずれかであり、前記波長多重装置は、前記異なるビットレートごとに波長多重回路と、光遅延回路とを備え、前記波長多重装置は、前記光遅延回路からの光デュオバイナリ信号を合波する光カップラをさらに備えたことを特徴とする。
【００１５】
また、請求項４に記載の発明は、請求項１に記載の波長多重装置であって、各ＤＰＳＫ信号は、複数の異なるビットレートのＤＰＳＫ信号のいずれかであり、前記波長多重装置は、前記異なるビットレートごとに波長多重回路と、光遅延回路とを備え、前記波長多重装置は、前記光遅延回路からの光デュオバイナリ信号を合波する波長多重回路をさらに備えたことを特徴とする。
【００１６】
また、請求項５に記載の発明は、請求項１に記載の波長多重装置であって、各ＤＰＳＫ信号は、２つの異なるビットレートのＤＰＳＫ信号のいずれかであり、前記波長多重装置は、前記異なるビットレートごとに波長多重回路と、光遅延回路とを備え、前記波長多重装置は、前記光遅延回路からの光デュオバイナリ信号を合波するインターリーバをさらに備えたことを特徴とする。
【００１７】
また、請求項６に記載の発明は、請求項５に記載の波長多重装置であって、前記ＤＰＳＫ信号のうち奇数番目の波長は、前記２つの異なるビットレートのＤＰＳＫ信号の一方を含み、偶数番目の波長は、前記２つの異なるビットレートのＤＰＳＫ信号の他方を含むことを特徴とする。
【００１８】
また、請求項７に記載の発明は、請求項１から６のいずれかに記載の波長多重装置であって、波長の異なる複数のＤＰＳＫ信号を、前記光遅延回路を介して光デュオバイナリ信号として受信する光受信器をさらに備えたことを特徴とする。
【００１９】
また、請求項８に記載の発明は、請求項７に記載の波長多重伝送ネットワークであって、波長ごとに、前記波長多重装置からの光デュオバイナリ信号を受信する光受信器をさらに備えたことを特徴とする。
【００２０】
また、請求項９に記載の発明は、請求項８に記載の波長多重伝送ネットワークであって、前記波長多重装置からの光デュオバイナリ信号を分岐するパワースプリッタを備えたことを特徴とする。
【００２１】
また、請求項１０に記載の発明は、請求項８に記載の波長多重伝送ネットワークであって、前記波長多重装置からの光デュオバイナリ信号を分波する波長スプリッタを備えたことを特徴とする。
【００２２】
また、請求項１１に記載の発明は、波長多重装置における方法であって、波長の異なる複数のＤＰＳＫ信号を多重することと、前記多重されたＤＰＳＫ信号から光デュオバイナリ信号を生成し、送信することとを備える。
【００２３】
また、請求項１２に記載の発明は、請求項１１に記載の方法であって、各ＤＰＳＫ信号は、ビットレートＲのＤＰＳＫ信号およびビットレートｎＲ（ｎは整数）のＤＰＳＫ信号のいずれかであり、前記光デュオバイナリ信号を生成することは、各ＤＰＳＫ信号に１／Ｒの遅延量を与えて合波することを含むことを特徴とする。
【００２４】
また、請求項１３に記載の発明は、請求項１１に記載の方法であって、各ＤＰＳＫ信号は、複数の異なるビットレートのＤＰＳＫ信号のいずれかであり、前記光デュオバイナリ信号を生成することは、各ＤＰＳＫ信号に各ビットレートに対応する遅延量を与えて合波することをさらに備えることを特徴とする。
【００２５】
また、請求項１４に記載の発明は、請求項１１から１３のいずれかに記載の方法であって、波長の異なる複数のＤＰＳＫ信号を、光デュオバイナリ信号に変換して受信することをさらに備えることを特徴とする。
【発明の効果】
【００２６】
本発明によれば、ＷＤＭ−ＰＯＮで必要となる波長帯域を経済的に狭窄化でき、波長資源の有効活用が可能となる。
【発明を実施するための最良の形態】
【００２７】
以下、図面を参照しながら本発明の実施形態について詳細に説明する。
【００２８】
（第１実施形態）
図４に、本発明の第１実施形態によるＷＤＭ−ＰＯＮの構成例を示す。このＷＤＭ−ＰＯＮは、１つのＯＬＴ１００と、このＯＬＴとパワースプリッタ１２０を介して接続された複数のＯＮＵ１４０−１〜ｎとから構成されている。ＯＬＴ１００は、各ＯＮＵに対応するＯＳＵ２００−１〜ｎと、上り信号の波長分波を行う波長多重分離回路２１０と、下り信号の波長合波を行う波長多重分離回路２１２と、所定の遅延を有するマッハツェンダ型干渉計からなる光遅延回路２２０とを備えている。ＯＳＵ２００は、ＤＰＳＫ（Ｄｉｆｆｅｒｅｎｔｉａｌ  Ｐｈａｓｅ  Ｓｈｉｆｔ  Ｋｅｙｉｎｇ）変調光信号を送信する光送信器と、光デュオバイナリ信号を受信する光受信器とから構成される。また、各ＯＮＵ１４０は、波長選択用の光フィルタ３１０と、ＤＰＳＫ信号を送信する光送信器と、光デュオバイナリ信号を受信する光受信器とを備えている。
【００２９】
ＯＳＵ２００の光送信器は、光デュオバイナリ信号を生成するためにプリコーディングされたＤＰＳＫ信号（ビットレートＲ）を生成する。このＤＰＳＫ信号は、波長多重分離回路で多重された後、波長ごとに光遅延回路で遅延検波され、光デュオバイナリ信号（ビットレートＲ）に変換される。ここで、光遅延回路２２０の遅延量は、ＤＰＳＫ信号のプリコーディングで与えられる遅延量に等しい値に設定される。光デュオバイナリ信号は、パワースプリッタ１２０を介してＯＮＵの光フィルタ３１０で波長選択され、受信器で復調される。
【００３０】
また、各ＯＮＵ１４０の光送信器は、ＤＰＳＫ光信号（ビットレートＲ）を生成し、光フィルタ３１０を透過後、パワースプリッタ１２０を介してＯＬＴ１００で受信される。ＯＬＴ１００において、ＤＰＳＫ光信号は、光遅延回路２２０で遅延検波され、光デュオバイナリ信号に変換された後、波長多重分離回路２１０で波長分離され、波長ごとにＯＳＵの受信器で受信される。
【００３１】
上述したように、上りと下りの光信号は、光遅延回路２２０により合分波されるため、デッドバンドＷが生じない。図５に、波長多重分離回路および光遅延回路の透過特性と、上りおよび下りの光信号スペクトルとの関係を示す。図５に示すように、上りおよび下りの波長帯域の間にデッドバンドＷを設定する必要はない。また、光信号にＤＰＳＫ信号およびＤＳＰＫ信号を遅延検波した光デュオバイナリ信号を利用しているため、通常の光強度信号であるＮＲＺに比べ、変調帯域が約半分となり、必要となる光領域の帯域を削減することができる。
【００３２】
（第２実施形態）
図６に、本発明の第２実施形態によるＷＤＭ−ＰＯＮの構成例を示す。このＷＤＭ−ＰＯＮは、第１実施形態におけるパワースプリッタ１２０に代えて波長スプリッタ１６０を使用したものである。本構成例において、ＯＮＵ１４０−１〜ｎに搭載された光フィルタ３１２−１〜ｎは、上りおよび下りの光信号を分離するためのものである。
【００３３】
図７に、波長分離回路、光遅延回路および波長スプリッタの透過特性と、上りおよび下りの光信号スペクトルとの関係を示す。図７に示すように、本実施形態においても、第１実施形態と同様の効果を得ることができる。
【００３４】
（第３実施形態）
図８に、本発明の第３実施形態によるＷＤＭ−ＰＯＮの構成例を示す。このＷＤＭ−ＰＯＮは、第１実施形態の構成例と同様であるが、波長によりビットレートＲを整数倍ｎにしたものである。本構成例において、光遅延回路２２０の遅延量（遅延時間）を、１／Ｒに設定し、ビットレートがｎＲである送信器のプリコーダの遅延量（遅延時間）を１／Ｒ（ｎビットの遅延を与える）に設定する。これにより、複数のビットレートが混在するＷＤＭ−ＰＯＮを構成することができる。
【００３５】
（第４実施形態）
図９に、本発明の第４実施形態によるＷＤＭ−ＰＯＮの構成例を示す。このＷＤＭ−ＰＯＮは、第３実施形態におけるパワースプリッタ１２０に代えて波長スプリッタ１６０を使用したものである。
【００３６】
（第５実施形態）
図１０に、本発明の第５実施形態によるＷＤＭ−ＰＯＮの構成例を示す。このＷＤＭ−ＰＯＮは、波長によりビットレートを異ならせたものである。ビットレートが同じ波長ごとに波長多重分離を行い、光遅延回路２２０−１〜Ｎでそのビットレートに応じた遅延量（遅延時間）が与えられる。すなわち、ビットレートＲk（ｋ：１〜Ｎの整数）に対して、光遅延回路２２０−ｋの遅延量を１／Ｒkに設定する。この場合、対応する送信器のプリコーダの遅延量（遅延時間）も１／Ｒkに設定する。Ｎ個の光遅延回路２２０は、光カップラ２４０で合波し、伝送路に接続する。これにより、複数のビットレートが混在するＷＤＭ−ＰＯＮを構成することができる。
【００３７】
（第６実施形態）
図１１に、本発明の第６実施形態によるＷＤＭ−ＰＯＮの構成例を示す。このＷＤＭ−ＰＯＮは、第５実施形態におけるパワースプリッタ１２０を波長スプリッタ１６０に置き換えたものである。
【００３８】
（第７実施形態）
図１２に、本発明の第７実施形態によるＷＤＭ−ＰＯＮの構成例を示す。このＷＤＭ−ＰＯＮは、第５実施形態における光カップラ２４０に代えてＡＷＧ２６０を使用したものである。図１３は、本構成例におけるＡＷＧの透過特性と、上りおよび下りの光信号スペクトルとの関係を示している。図に示すように、上りおよび下り信号の波長をＡＷＧのＦＳＲを利用して配置することができる。
【００３９】
（第８実施形態）
図１４に、本発明の第８実施形態によるＷＤＭ−ＰＯＮの構成例を示す。このＷＤＭ−ＰＯＮは、第７実施形態におけるパワースプリッタ１２０に代えて波長スプリッタ１６０を使用したものである。
【００４０】
（第９実施形態）
図１５に、本発明の第９実施形態によるＷＤＭ−ＰＯＮの構成例を示す。このＷＤＭ−ＰＯＮは、第５実施形態において、ビットレートが２種類（Ｎ＝２）の場合に光カップラ２４０に代えてインターリーバ２８０を使用したものである。本構成例において、ＯＬＴ１００で波長多重分離を行う波長スプリッタ２１４，２１６には、２×ｎのＡＷＧを用いる。
【００４１】
図１６に、２×ｎのＡＷＧの一例を示す。ＡＷＧの周回性により、同じ波長でも入力されるポートが異なれば、出力されるポートも異なる。そのため、２ポート側で奇数番目の波長を一方のポートに割り当て、偶数番目の波長を他方のポートに割り当てると、ｎポート側では１ポートおきに奇数番目と偶数番目の隣り合う波長が１つのポートに割り当てられる。このようなＡＷＧを波長スプリッタ２１４，２１６として用いる。
【００４２】
図１７は、本構成例における上りおよび下り光信号の波長配置の例を示している。図に示すような波長配置で、ＯＳＵ２００−１，２００−２のそれぞれに隣り合う２つの波長を割当てる。具体的には、各ＯＳＵ２００の受信器には、一方のビットレートＲ1を有する上りの偶数番目の波長λ2k（ｋ：１〜ｎの整数）と、他方のビットレートＲ2を有する上りの奇数番目の波長λ2k+1を割り当てる。また、各ＯＳＵ２００の送信器には、ビットレートＲ1を有する下りの偶数番目の波長λ’2l（ｌ：１〜ｎの整数）と、ビットレートＲ2を有する下りの奇数番目の波長λ’2l+1を割り当てる。
【００４３】
また、ビットレートＲ1に設定したＯＮＵ１４０ａの送信器には、上りの偶数番目の波長λ2kを割り当て、受信器には、下りの偶数番目の波長λ’2lを割り当てる。ビットレートＲ2に設定したＯＮＵ１４０ｂの送信器には、上りの奇数番目の波長λ2k+1を割り当て、受信器には、下りの奇数番目の波長λ’2l+1を割り当てる。図１５では、ビットレートＲ1に設定したＯＮＵ１４０ａと、ビットレートＲ2に設定したＯＮＵ１４０ｂしか図示していないが、ビットレートを選択可能な他のＯＮＵ１４０を使用してもよい。
【００４４】
このように、偶数番目と奇数番目の波長に異なるビットレートを割当てることで、各ＯＳＵ２００から送信された下り信号は、ビットレート（波長）に応じて２×ｎのＡＷＧ２１６の異なるポートで波長多重される。そして、光遅延回路２２０ａ，２２０ｂでそれぞれのビットレートに応じた遅延量が与えられ、インターリーバ２８０を介して、伝送路に送出される。この場合、対応する送信器のプリコーダの遅延量もビットレートに応じて設定される。各ＯＮＵ１４０は、対応する下り信号を光フィルタ３１０ａ，ｂで選択して、対応するビットレートの信号を受信する。
【００４５】
他方、各ＯＮＵ１４０は、ビットレートに応じて、偶数または奇数番目の波長の上り信号を送出する。この上り信号は、パワースプリッタ１２０で合波され、偶数または奇数番目の波長に応じて（すなわち、ビットレートに応じて）、インターリーバ２８０で分波される。分波された上りの信号は、光遅延回路２２０ａ，２２０ｂでそれぞれのビットレートに応じた遅延量が与えられ、それぞれの波長に応じて２×ｎのＡＷＧ２１４の異なるポートに波長分離される。各ＯＳＵ２００は、波長分離された上り信号を対応するビットレートの受信器で受信する。
【００４６】
以上のように、本構成によれば、インターリーバ２８０を用いて２種類のビットレートが混在するＷＤＭ−ＰＯＮを構成することができる。
【００４７】
（第１０実施形態）
図１８は、本発明の第１０実施形態によるＷＤＭ−ＰＯＮの構成例を示す。このＷＤＭ−ＰＯＮは、第９実施形態におけるパワースプリッタ１２０に代えて波長スプリッタ１６０を使用したものである。図１９は、本構成例における上りおよび下り光信号の波長配置の例を示している。
【００４８】
以上、本発明について、具体的にいくつかの実施形態について説明したが、本発明の原理を適用できる多くの実施可能な形態に鑑みて、ここに記載した実施形態は、単に例示に過ぎず、本発明の範囲を限定するものではない。例えば、上記の実施形態におけるＯＬＴの波長多重分離回路および光遅延回路は、ＰＬＣ（Ｐｌａｎｅｒ  Ｌｉｇｈｔｗａｖｅ  Ｃｉｒｃｕｉｔ）上に集積化することができ、ＯＬＴを経済的に実現することができる。したがって、ここに例示した実施形態は、本発明の趣旨から逸脱することなくその構成と詳細を変更することができる。さらに、説明のための構成要素および手順は、本発明の趣旨から逸脱することなく変更、補足、またはその順序を変えてもよい。
【図面の簡単な説明】
【００４９】
【図１】従来のＷＤＭ−ＰＯＮの構成例を示す図であり、図１（ａ）は、伝送路の分岐部に波長スプリッタを用いた構成例であり、図１（ｂ）は、伝送路の分岐部にパワースプリッタを用いた構成例である。
【図２】従来のＷＤＭ−ＰＯＮで使用される、上り信号と下り信号の分離のための光フィルタのデッドバンドについて説明するための図である。
【図３】デッドバンドのないＷＤＭ−ＰＯＮについて説明するための図であり、図３（ａ）は、ＷＤＭ−ＰＯＮの構成例を示し、図３（ｂ）は、ＡＷＧおよび光フィルタの透過特性と、上りおよび下り信号のスペクトルとの関係を示している。
【図４】本発明の第１実施形態によるＷＤＭ−ＰＯＮの構成例を示す図である。
【図５】図４の波長多重分離回路および光遅延回路の透過特性と、上りおよび下りの光信号スペクトルとの関係を示す図である。
【図６】本発明の第２実施形態によるＷＤＭ−ＰＯＮの構成例を示す図である。
【図７】図６の波長分離回路、光遅延回路および波長スプリッタの透過特性と、上りおよび下りの光信号スペクトルとの関係を示す図である。
【図８】本発明の第３実施形態によるＷＤＭ−ＰＯＮの構成例を示す図である。
【図９】本発明の第４実施形態によるＷＤＭ−ＰＯＮの構成例を示す図である。
【図１０】本発明の第５実施形態によるＷＤＭ−ＰＯＮの構成例を示す図である。
【図１１】本発明の第６実施形態によるＷＤＭ−ＰＯＮの構成例を示す図である。
【図１２】本発明の第７実施形態によるＷＤＭ−ＰＯＮの構成例を示す図である。
【図１３】図１２のＡＷＧの透過特性と、上りおよび下りの光信号スペクトルとの関係を示す図である。
【図１４】本発明の第８実施形態によるＷＤＭ−ＰＯＮの構成例を示す図である。
【図１５】本発明の第９実施形態によるＷＤＭ−ＰＯＮの構成例を示す図である。
【図１６】図１５の構成例における２×ｎのＡＷＧの波長特性を示す図である。
【図１７】図１５の構成例における上りおよび下り光信号の波長配置例を示す図である。
【図１８】本発明の第１０実施形態によるＷＤＭ−ＰＯＮの構成例を示す図である。
【図１９】図１８の構成例における上りおよび下り光信号の波長配置例を示す図である。
【符号の説明】
【００５０】
１０  ＯＬＴ
１２  波長スプリッタ
１４  ＯＮＵ
１６  パワースプリッタ
２０  ＯＳＵ
２２  波長多重分離回路
２４  光フィルタ
１００  ＯＬＴ
１２０  パワースプリッタ
１４０  ＯＮＵ
１６０  波長スプリッタ
２００  ＯＳＵ
２１０  波長分離回路
２１２  波長多重回路
２１４  ２×ｎ波長分離回路
２１６  ２×ｎ波長多重回路
２２０  光遅延回路
２４０  光カップラ
２６０  波長スプリッタ
２８０  インターリーバ
３１０，３１２  光フィルタ
【図１】
2008244847.tif 000003
【図２】
2008244847.tif 000004
【図３】
2008244847.tif 000005
【図４】
2008244847.tif 000006
【図５】
2008244847.tif 000007
【図６】
2008244847.tif 000008
【図７】
2008244847.tif 000009
【図８】
2008244847.tif 000010
【図９】
2008244847.tif 000011
【図１０】
2008244847.tif 000012
【図１１】
2008244847.tif 000013
【図１２】
2008244847.tif 000014
【図１３】
2008244847.tif 000015
【図１４】
2008244847.tif 000016
【図１５】
2008244847.tif 000017
【図１６】
2008244847.tif 000018
【図１７】
2008244847.tif 000019
【図１８】
2008244847.tif 000020
【図１９】
2008244847.tif 000021